(57)【特許請求の範囲】
【請求項１】
共通電極電圧が印加される液晶パネル上の所定位置の電圧を歪曲された共通電極電圧として感知する歪曲信号感知部と、
前記歪曲信号感知部から検出される歪曲された共通電極電圧と外部から提供される反転された共通電極電圧とが両端電圧として入力され、前記二つの両端電圧の間の二つの電圧を階調基準電圧として発生させるレベルシフト部と、
前記レベルシフト部において生成される二つの階調基準電圧を所定の数に分配し、前記電圧分配により得られる所定の数の電圧を階調電圧としてソース駆動部に出力する階調電圧発生部と、
を含んでなることを特徴とする薄膜トランジスタ型液晶表示装置の駆動回路。
【請求項２】
前記歪曲信号感知部は液晶パネル上の所定の位置に設置される電極パッドに具現されることを特徴とする、請求項１に記載の薄膜トランジスタ型液晶表示装置の駆動回路。
【請求項３】
前記電極パッドは液晶パネル上の共通電極電圧が印加されるある電極と他の電極との間に、または共通電極電圧が印加される電極から最も遠く離れている位置に設置されることを特徴とする、請求項２に記載の薄膜トランジスタ型液晶表示装置の駆動回路。
【請求項４】
前記電極パッドには増幅器がさらに連結されていることを特徴とする、請求項２または３に記載の薄膜トランジスタ型液晶表示装置の駆動回路。
【請求項５】
前記レベルシフト部は、前記歪曲された共通電極電圧と反転された共通電極電圧との間の所定の位置に連結される抵抗と、前記二つの電圧の間に直列に連結される所定の数のダイオード及びこれと極性が反対になるように直列連結される同数のダイオードで構成され、前記二つのグループのダイオードのうち、両端位置の電圧が二つの基準電圧として検出されることを特徴とする、請求項１に記載の薄膜トランジスタ型液晶表示装置の駆動回路。
【請求項６】
前記階調電圧発生部は、前記レベルシフト部から検出される二つの基準電圧の間に連結されて二つの基準電圧を分配する所定の数の抵抗で構成され、各抵抗の接点において階調電圧が生成されることを特徴とする、請求項１または５に記載の薄膜トランジスタ型液晶表示装置の駆動回路。
【請求項７】
複数の液晶セルと複数の薄膜トランジスタとを含む液晶表示装置の駆動回路であって、
前記駆動回路は、
前記液晶表示装置の共通電極に接続されている複数の駆動部と、
共通電極上の電圧降下を感知する感知部と、
前記感知部に対応して設けられ、前記感知部によって感知された共通電極の電圧降下に対応する少なくとも１の駆動信号レベルを前記駆動部に供給し、共通電極上の電圧降下を引き起こす液晶セル中の歪曲を減少させる補償部とを含み、
前記補償部は、
前記感知部によって感知された共通電極上の電圧降下の大きさに応じて第１電圧及び第２電圧を発生するレベルシフト部と、
前記第１及び第２電圧に応じた階調電圧を発生する階調電圧発生部とを含み、
前記階調電圧発生部は、２以上の階調電圧を発生し、前記２以上の階調電圧を前記駆動部に印加する、液晶表示装置の駆動回路。
【請求項８】
前記感知部は、共通電極に電気的に接続しているパッドを含む、請求項７に記載の液晶表示装置の駆動回路。
【請求項９】
前記駆動部は、駆動集積回路に含まれており、
前記駆動集積回路は、共通電極に共通電圧を印加する回路を含み、
前記感知部は前記駆動集積回路に含まれる、請求項７に記載の液晶表示装置の駆動回路。
【請求項１０】
共通電極に接続される第１パッド及び第２パッドをさらに含み、
前記第１パッドには共通電圧が印加され、前記感知部は前記第２パッドに接続される、請求項７に記載の液晶表示装置の駆動回路。
【請求項１１】
前記感知部は、共通電極上の電圧降下を増幅する増幅器をさらに含む、請求項９に記載の液晶表示装置の駆動回路。
【請求項１２】
前記レベルシフト部は、
共通電極に印加される電圧を補償するための電圧が印加される第１端子、及び、前記感知部によって感知される共通電極上の電圧が印加される第２端子の間に直列に、同じ極性で接続された複数の第１ダイオードと、
前記第１端子及び前記第２端子の間に直列に、前記第１ダイオードの極性と反対の極性で接続された複数の第２ダイオードと、
前記第１ダイオードと前記第２ダイオードとの間の少なくとも１組の中間電圧を取り出す少なくとも１組の参照タップと、
を含む、請求項７に記載の液晶表示装置の駆動回路。
【請求項１３】
前記階調電圧発生部は、
前記参照タップの間に直列に接続された複数の抵抗と、
前記抵抗の間に設けられる複数の抵抗タップと、
を含む、請求項１２に記載の液晶表示装置の駆動回路。
【請求項１４】
複数の液晶セルと、
複数の薄膜トランジスタと、
共通電極と、
共通電極に接続された複数の駆動部と、
共通電極上の電圧降下を感知する感知部と、
前記感知部に対応して設けられ、前記感知部によって感知された共通電極の電圧降下に対応する少なくとも１の駆動信号レベルを前記駆動部に供給し、共通電極上の電圧降下を引き起こす液晶セル中の歪曲を減少させる補償部と、
を含む液晶表示装置であって、
前記補償部は、
前記感知部によって感知された共通電極上の電圧降下の大きさに応じて第１電圧及び第２電圧を発生するレベルシフト手段と、
前記第１及び第２電圧に応じた階調電圧を発生する階調電圧発生手段とを含み、
前記階調電圧発生手段は、２以上の階調電圧を発生し、前記２以上の階調電圧を前記駆動部に印加する、液晶表示装置。
【請求項１５】
前記感知部は、共通電極に電気的に接続しているパッドを含む、請求項１４に記載の液晶表示装置。
【請求項１６】
前記駆動部は、駆動集積回路に含まれており、
前記駆動集積回路は、共通電極に共通電圧を印加する回路を含み、
前記感知部は前記駆動集積回路に含まれる、請求項１４に記載の液晶表示装置。
【請求項１７】
共通電極に接続される第１パッド及び第２パッドをさらに含み、
前記第１パッドには共通電圧が印加され、前記感知部は前記第２パッドに接続される、請求項１４に記載の液晶表示装置。
【請求項１８】
前記感知部は、共通電極上の電圧降下を増幅する増幅器をさらに含む、請求項１６に記載の液晶表示装置。
【請求項１９】
前記レベルシフト部は、
共通電極に印加される電圧を補償するための電圧が印加される第１端子、及び、前記感知部によって感知される共通電極上の電圧が印加される第２端子の間に直列に、同じ極性で接続された複数の第１ダイオードと、
前記第１端子及び前記第２端子の間に直列に、前記第１ダイオードの極性と反対の極性で接続された複数の第２ダイオードと、
前記第１ダイオードと前記第２ダイオードとの間の少なくとも１組の中間電圧を取り出す少なくとも１組の参照タップと、
を含む、請求項１４に記載の液晶表示装置。
【請求項２０】
前記階調電圧発生部は、
前記参照タップの間に直列に接続された複数の抵抗と、
前記抵抗の間に設けられる複数の抵抗タップと、
を含む、請求項１９に記載の液晶表示装置。
【請求項２１】
複数の液晶セルと複数の薄膜トランジスタとを含み、共通電極に複数の駆動部が接続されている液晶表示装置の駆動方法であって、
前記駆動方法は、
共通電極上の電圧降下を感知するステップと、
共通電極上の電圧降下を引き起こす液晶セル中の歪曲を減少させるために、感知された共通電極の電圧降下に対応する少なくとも１の駆動信号レベルを前記駆動部に供給するステップとを含み、
前記駆動信号レベルを前記駆動部に供給するステップは、
感知された共通電極上の電圧降下の大きさに応じて第１電圧及び第２電圧を発生するステップと、
前記第１及び第２電圧に応じた２以上の階調電圧を発生するステップと、
前記２以上の階調電圧を前記駆動部に印加するステップとを含む、液晶表示装置の駆動方法。
【請求項２２】
共通電極上の電圧降下を感知するステップ、及び、前記駆動信号レベルを前記駆動部に供給するステップでは、共通電極上の電圧降下を増幅する、請求項２１に記載の液晶表示装置の駆動方法。
【発明の詳細な説明】
【０００１】
【発明の属する技術分野】
本発明は、薄膜トランジスタ型液晶表示装置（ＴＦＴＬＣＤ：Thin-Film-Transistor Liquid Crystal Display ）の駆動回路に係り、より詳しくは、共通電極信号の歪曲程度に比例する基準信号を生成し、この基準信号に基づいて階調電圧が生成されるようにすることにより、液晶セルにおいて発生するクロストークを縮めることができる薄膜トランジスタ型液晶表示装置の駆動回路に関する。
【０００２】
【従来の技術】
一つの液晶セルに一つの薄膜トランジスタが対応するように構成され、所定の数のセルを備えた薄膜トランジスタ型液晶表示装置はコントラスト比が大きく、階調表示や動画面の表示に適合し、フルカラー（full color）化が容易な利点のため、各種の液晶表示装置の中でも特に脚光を浴びている。
【０００３】
なお、画質を損傷させないで大容量化が可能であるため、高解像度テレビ（ＨＤＴＶ：High Definition Television）などの分野においても適用されている。しかしながら、かかる薄膜トランジスタ型液晶表示装置の非正常な表示特性の中にはクロストーク現象がある。クロストーク現象とは、白又は黒表示が画面の一定の領域に集中的に表示されるとき、その上下または左右方向に位置する一部セルの階調が周辺の白又は黒表示領域の影響により他の階調に表示されることをいう。
【０００４】
このとき、前者のものを垂直型クロストークといい、後者のものを水平型クロストークという。
垂直型クローストークは、薄膜トランジスタが電気的に十分にターンオフされない場合、薄膜トランジスタのソース端子に連結されたデータラインを通じて印加される所望しない階調電圧がドレイン端子を経て液晶に伝達されることにより発生する。従って、垂直型クローストークは薄膜トランジスタを十分にターンオフせしめるためもっと低いオフ電圧を印加するかオフ電流を最小化する薄膜トランジスタの構造および工程的な調整により解決することができる。
【０００５】
水平型クロストークは、液晶セルの共通電極の電位変動により発生するものであって、隣接の液晶セルに電荷を充電させるとき、共通電極の電位が変動し、その影響によって、任意のある液晶セルに正確な階調電圧が印加されないことにより発生する。
次に、クロストークの発生メカニズムについて添付図面を参照して詳細に説明する。
【０００６】
図８は一般の液晶パネルの一部を示す等価回路図であり、図９（Ａ）および（Ｂ）は、図８の回路に適用される共通電極印加電圧および歪曲された電圧を示す波形図であり、図１０（Ａ）および（Ｂ）は、図８の回路に適用されるものであって、白表示時および黒表示時の任意のあるセルに印加される電圧を示す波形図である。
【０００７】
図８に示す等価回路は各液晶セルに連結される薄膜トランジスタを省略した構成であり、抵抗Ｒｃｏｍはパネルの抵抗であり、Ｃｌｃ１、Ｃｌｃ２などは液晶セルのキャパシタンスである。
図８を参照すると、一般的な薄膜トランジスタ型液晶表示装置においては共通電極電圧Ｖｃｏｍと薄膜トランジスタを経て印加される階調電圧間の差異が液晶セルに印加され、液晶セルに印加される電圧の大きさに従い透過率を決めることによりセルの明るさが決定される。
【０００８】
一般的に、白表示時には液晶セルの両端の電位差が最小になり黒表示時には最大になるので、各液晶セルに充電される電荷量は白表示時に最小、黒表示時に最大になる。
このような理由により、表示される階調に従い共通電極に流れる電流量が変わることになる。図９（Ａ）は液晶セルの共通電極に印加するための電圧の波形であり、図９（Ｂ）は白または黒表示時に共通電極において現われる電圧の波形である。
【０００９】
図９（Ｂ）を参照すると、白表示時には共通電極電圧波形に歪曲がないが、黒表示時には共通電極電圧波形に歪曲が発生するが、これはパネル自体に抵抗が存在し、黒表示時には共通電極に流れる電流量がもっとも大きいので、パネル抵抗による電圧降下成分が影響を及ぼすためである。
図１０（Ａ），（Ｂ）には白および黒表示時に同一の階調電圧が印加されることを示している。図１０（Ａ）および（Ｂ）に示すように、従来の階調電圧は一定の大きさを有する直流レベルである。
【００１０】
これによって、隣接する所定の領域の液晶セルに白または黒が表示され、その間の一部セルに他のものが表示される場合、共通電極電圧の歪曲により前記一部セルに所望する大きさの電圧が印加されない。つまり、同一の階調電圧が印加されても液晶セルに印加される電圧は異なるようになり、互いに異なる階調が表示される。
【００１１】
図１０（Ａ）に示す面積Ａは隣接セルが該当セルと同様に、白を表示する場合共通電極電圧と階調電圧との間の差異、すなわち液晶の両端電圧を示しており、図１０（Ｂ）に示す面積Ｂは隣接セルが黒を表示する場合液晶の両端電圧を示している。図１０の二つの面積Ａ，Ｂ間の差異が階調表示の差異になる。
【００１２】
【発明が解決しようとする課題】
しかしながら、前記二つの面積の差異を縮小するため、パネル抵抗Ｒｃｏｍの抵抗値を縮めるための工程的な努力が行われてクロストークが非常に減少されている。しかし、もっと厳しいクロストーク水準に対する要求があり、液晶表示装置パネルの大型化の趨勢に従い液晶容量が増加し、これに比例する共通電極信号の歪曲が発生することによりクロストークの根本的な除去がなされないという問題点がある。
【００１３】
従って、本発明は前記のような従来の問題点を解決するためのものであって、その目的は、共通電極電圧の歪曲程度に比例する階調電圧を生成し、これを液晶パネルに印加することにより、クロストークの発生原因を根本的に除去することができる薄膜トランジスタ型液晶表示装置の駆動回路を提供することにある。
【００１４】
【課題を解決するための手段】
前記目的を達成するための本発明の薄膜トランジスタ型液晶表示装置の駆動回路は、共通電極電圧Ｖｃｏｍが印加される液晶パネル上の所定位置の電圧を歪曲された共通電極電圧ＤＶｃｏｍとして感知する歪曲信号感知部と、前記歪曲信号感知部から検出される歪曲された共通電極電圧ＤＶｃｏｍと外部から提供される反転された共通電極電圧ＶｃｏｍＢとが両端電圧として入力され、前記二つの両端電圧の間の二つの電圧Ｖａ、Ｖｂを階調基準電圧として発生させるレベルシフト部と、前記レベルシフト部において生成される二つの階調基準電圧Ｖａ、Ｖｂを所定の数に分配し、前記電圧分配により得られる所定の数の電圧を階調電圧ＶＧ１〜ＶＧ４としてソース駆動部に出力する階調電圧発生部とを含んでなる。
【００１５】
前記本発明の構成に従うと、前記歪曲信号感知部により液晶パネル上の所定の位置において歪曲された共通電極電圧が検出され、前記検出される歪曲された共通電極電圧と反転された共通電極電圧を両端電圧にして二つの階調基準電圧が発生し、この階調基準電圧に基づいて階調電圧を発生させる。
これによって、生成される階調電圧は共通電極電圧の歪曲程度を反映しており、前記階調電圧が液晶セルに印加されることにより共通電極電圧が歪曲しても隣接セルの階調に影響を受けないで常に同一の電位差を液晶セルに印加することができる。結果的に、クロストーク現象を根本的に除去することができる。
【００１６】
【発明の実施の形態】
以下、添付図面を参照して本発明の好ましい実施例を詳細に説明する。
図１は本発明の実施例に従う薄膜トランジスタ型液晶表示装置の駆動回路の構成ブロック図であり、図２は、図１に示す液晶パネルの一部を詳細に示す等価回路図であり、図３は、図１に示す歪曲信号感知部を液晶パネル上に具現する一例を概略的に示す平面図であり、図４は図３のＡ−Ａ’の断面図であり、図５は図１に示すレベルシフト部および階調電圧発生部を詳細に示す回路図であり、図６は図５の階調電圧発生部から出力される階調電圧の一例を示す波形図であり、図７（Ａ）および（Ｂ）はそれぞれ白の際および黒の際任意のあるセルに印加される電圧を示す波形図である。
【００１７】
まず、図１ないし図５を参照して本発明の実施例に従う薄膜トランジスタ型液晶表示装置の駆動回路の構成について説明する。
図１に示すように、本発明の実施例に従う薄膜トランジスタ型液晶表示装置の駆動回路は、一つの液晶セルに一つの薄膜トランジスタが対応するように構成され、所定の数のセルで構成される液晶パネル１と、前記液晶パネル１の各液晶セルを構成する薄膜トランジスタのゲート端子およびソース端子に連結されるゲート駆動部３およびソース駆動部２と、共通電極電圧Ｖｃｏｍおよび反転された共通電極電圧ＶｃｏｍＢを生成するタイミング回路４と、前記液晶パネル１上の所定の位置に設置される歪曲信号感知部５と、前記歪曲信号感知部５の出力信号ＤＶｃｏｍと前記タイミング回路４の反転された共通電極電圧ＶｃｏｍＢを受け入れて階調基準電圧Ｖａ，Ｖｂを生成するレベルシフト部６と、前記レベルシフト部６の基準電圧Ｖａ，Ｖｂを受け入れて階調電圧ＶＧ１〜ＶＧ４を生成し、生成された階調電圧ＶＧ１〜ＶＧ４が前記ソース駆動部２に印加されるようにする階調電圧発生部７とで構成される。
【００１８】
次に、図２を参照して前記液晶パネル１の等価回路の構成について説明する。
図２に示すように、液晶パネル１は多数の液晶セルＣｌｃ１、Ｃｌｃ２、…と、各セルに一つずつ連結された薄膜トランジスタＴ１、Ｔ２、…で構成され、各液晶セルＣｌｃ１、Ｃｌｃ２、…のトランジスタが連結されない反対側には共通電極電圧Ｖｃｏｍが印加される。前記共通電極電圧Ｖｃｏｍと液晶セルとの間にはパネル抵抗Ｒｃｏｍが存在し、共通電極電圧Ｖｃｏｍの反対側においては歪曲された共通電極電圧ＤＶｃｏｍが検出される。
【００１９】
図２に示す各薄膜トランジスタのゲート端子にはゲート駆動部３の信号が印加され、ソース端子にはソース駆動部２の信号が印加される。
図３には本発明の実施例に従う駆動回路において歪曲信号感知部５が具現される一例を示す。
図３を参照すると、液晶パネル１はタップ８３上に装着される駆動ＩＣ(Integrated Circuit ）とワイヤボンディングで連結され、この駆動ＩＣは印刷回路基板（PCB ：Printed Circuit Board ）と連結される。前記駆動ＩＣは図１のソース駆動部２に相応するものであって、一つの液晶パネル１には通常１６個程度が備えられている。
【００２０】
前記一つの駆動ＩＣには二つのダミー端子（dummy port）８４、８５が存在し、いずれかの一つのダミー端子は共通電極電圧Ｖｃｏｍを液晶パネルを印加するのに用いている。本発明の駆動回路においては残りの一つのダミー端子が歪曲された共通電極電圧ＤＶｃｏｍを感知するに用いられる。
前述したように、駆動ＩＣは多数個存在し、この発明の駆動回路においては多数個の駆動ＩＣのうち、任意に選択した一つの駆動ＩＣのダミー端子が歪曲信号感知部５として用いられる。好ましくは、ソース駆動ＩＣと最も遠く離れているゲート駆動ＩＣのダミー端子は歪曲信号感知部５として用いられる。
【００２１】
図４は図３のＡ−Ａ’を示す断面図であって、図面において、１１は上部基板、１２はブラックマトリックス、１３は上部透明基板、１４は銀（Ag）導電膜、１５はシール材、１６は多数の薄膜トランジスタ（ＴＦＴ）と多数の画素電極そして多数の導電ライン１７を有する下部基板である。
図３のダミー端子８４を通じて共通電極電圧Ｖｃｏｍが印加されると仮定すると、駆動ＩＣのダミー端子８４から提供される共通電極電圧Ｖｃｏｍは銀導電膜１４を経て上部透明基板１３に印加される。
【００２２】
また、歪曲された共通電極電圧ＤＶｃｏｍは導電ライン１７およびダミー端子８５を経て駆動ＩＣを経由し、この電圧ＤＶｃｏｍは印刷回路基板８１上に実装されるレベルシフト部６に入力される。
このとき、後述するが、歪曲された共通電極電圧ＤＶｃｏｍが十分な電流駆動能力を有していない場合には、レベルシフト部６前端に増幅器を付加するようにしてもよい。
【００２３】
次に、図５を参照してレベルシフト部６および階調電圧発生部７の構成について詳細に説明する。
図５を参照すると、反転された共通電極電圧ＶｃｏｍＢと歪曲された共通電極電圧ＤＶｃｏｍとの間には抵抗Ｒ６１、五つの直列接続されたダイオードＤ１〜Ｄ５および抵抗Ｒ６２が順に連結され、前記直列ダイオードＤ１〜Ｄ５に並列に極性が反対方向である五つのダイオードＤ６〜Ｄ１０が連結される。
【００２４】
前記二つのダイオードＤ１、Ｄ２間の接点および二つのダイオードＤ９、Ｄ１０間の接点から基準電圧Ｖａが検出され、二つのダイオードＤ４、Ｄ５間の接点および二つのダイオードＤ６、Ｄ７間の接点から基準電圧Ｖｂが検出される。
前記二つの基準電圧Ｖａ，Ｖｂの間には五つの抵抗Ｒ７１〜Ｒ７５が直列接続され、各抵抗Ｒ７１〜Ｒ７５間の接点から四つの階調電圧が得られる。本発明の実施例に従う駆動回路においては階調電圧が四つのレベルを有することを仮定したが、この発明の技術的な範囲はこれに限定されず階調電圧レベルの縮小および拡張が可能である。
【００２５】
次に、前述した構成および図６、図７の波形図を参照して本発明の実施例に従う薄膜トランジスタ型液晶表示装置の駆動回路の動作について説明する。
電源が印加されると回路の動作が始まる。回路の動作が始まるとソース駆動部２およびゲート駆動部３においては液晶パネル１の薄膜トランジスタを駆動するための信号が出力され、タイミング回路４においては液晶パネル１の共通電極に印加するための共通電極電圧Ｖｃｏｍおよびこれの反転信号ＶｃｏｍＢが生成されて出力される。
【００２６】
液晶パネル１においてはゲート駆動部３とソース駆動部２の信号により決定される所定の電圧が各液晶セルに印加され、前記印加電圧に対応する各液晶セルの透過率に従い所定の表示動作が行われる。
図２に示す液晶パネル１の等価回路を参照すると、共通電極電圧Ｖｃｏｍのうち、パネル抵抗Ｒｃｏｍによる電圧降下分を除いた電圧が各液晶セルの一端に印加され、各薄膜トランジスタのドレイン電圧が各液晶セルの他端に印加される。このとき、各薄膜トランジスタのドレイン電圧はゲート端子がターンオンされる場合ソース端子に印加される電圧である。各薄膜トランジスタのソース端子に印加される電圧はソース駆動部２から出力される信号であって、階調表示のための階調電圧である。
【００２７】
一方、歪曲信号感知部５は歪曲された共通電極電圧ＤＶｃｏｍを検出するためのものであって、前述したように、電極パッドまたは電極パッドに増幅器が付加された形態で具現される。前記歪曲された共通電極電圧を検出するため、電極パッドは共通電極電圧Ｖｃｏｍが印加されるある電極と他の電極との間に、または共通電極電圧Ｖｃｏｍが印加される電極と最も遠く離れている位置に設置される。また、増幅器は検出される歪曲された共通電極電圧が液晶セルの電流駆動能力を有していない場合にのみ付加される。かかる増幅器としては、一般的なプッシュ−プル増幅器（Push pull amplifier ）が用いられる。
【００２８】
前記歪曲信号感知部５から検出される歪曲された共通電極電圧ＤＶｃｏｍはレベルシフト部６に入力され、このとき、タイミング回路４から提供される反転された共通電極電圧ＶｃｏｍＢと共に入力される。
レベルシフト部６と階調電圧発生部７の動作について、図５の回路図を参照して詳しく説明する。
【００２９】
図５を参照すると、五つの直列ダイオードＤ１〜Ｄ５、Ｄ６〜Ｄ１０が極性が互いに反対方向となるように連結されているが、これは歪曲された共通電極電圧ＤＶｃｏｍと反転された共通電極電圧ＶｃｏｍＢのうち、大きさがもっと大きい方から小さい方に電流が流れるようにするためのものである。
例えば、反転された共通電極電圧ＶｃｏｍＢが歪曲された共通電極電圧ＤＶｃｏｍよりもっと大きい場合五つの直列ダイオードＤ１〜Ｄ５がターンオンされ、これと反対の場合には五つの直列ダイオードＤ６〜Ｄ１０がターンオンされる。
【００３０】
また、反転された共通電極電圧ＶｃｏｍＢと歪曲された共通電極電圧ＤＶｃｏｍとの間の二つの電圧が基準電圧Ｖａ，Ｖｂとして検出され、前記検出された二つの電圧Ｖａ，Ｖｂは五つの抵抗Ｒ７１〜Ｒ７５により分配される。
前記五つの抵抗Ｒ７１〜Ｒ７５による電圧分配を通じて四つの階調電圧ＶＧ１〜ＶＧ４が得られ、この階調電圧はソース駆動部２に出力される。ソース駆動部２においては入力される四つの階調電圧のうち、一つが内部のスイッチング素子により選択され、液晶パネル１上の薄膜トランジスタソース端子に出力される。
【００３１】
図６にはタイミング回路４から出力される共通電極電圧Ｖｃｏｍと、レベルシフト部６において生成される基準電圧Ｖａ，Ｖｂと、階調電圧発生部７において生成される階調電圧ＶＧ１〜ＶＧ４波形の一例とが示されている。図６に示すように、階調電圧ＶＧ１〜ＶＧ４の波形は液晶パネル１から検出される歪曲された共通電極電圧ＤＶｃｏｍの波形に従うことになる。
【００３２】
図７（Ａ），（Ｂ）は隣接する液晶セルが白および黒表示時の任意のある液晶セルに所定のレベルの階調電圧が印加されるときの歪曲された共通電極電圧の波形を示している。
図７（Ａ）の面積Ａは歪曲された共通電極電圧ＤＶｃｏｍと印加される階調電圧の差異であって、隣接セルが白を表示するとき実際の液晶セルに印加される電圧であり、図７（Ｂ）の面積Ｂは隣接セルが黒を表示するとき実際の液晶セルに印加される電圧である。
【００３３】
図７（Ｂ）に示すように、本発明の駆動回路においては歪曲された共通電極電圧ＤＶｃｏｍの歪曲程度に比例する階調電圧を液晶セルに印加することにより、面積Ａと面積Ｂとの差異がほとんどなくなる。結局、図７（Ａ）および（Ｂ）の場合、同一の階調電圧に対し同一の階調表示が可能になりクロストーク現象を除去することができる。
【００３４】
【発明の効果】
以上のように、本発明の実施例に従うと液晶パネルから検出される歪曲された共通電極電圧の歪曲程度に比例する基準電圧を生成し、この生成された基準電圧に基づいて階調電圧を生成してソース駆動回路に提供することにより、共通電極電圧が歪曲しても階調電圧にこれを反映することができる。
【００３５】
これによって、共通電極電圧が歪曲しても液晶セルには常に同一の電位差が印加されることになり、クロストーク現象を根本的に除去することができる。
【図面の簡単な説明】
【図１】本発明の実施例に従う薄膜トランジスタ型液晶表示装置の駆動回路の構成ブロック図である。
【図２】図１に示す液晶パネルの一部を詳細に示す等価回路図である。
【図３】図１に示す歪曲信号感知部を液晶パネル上に具現する例を概略的に示す平面図である。
【図４】図３のＡ−Ａ’の断面図である。
【図５】図１に示すレベルシフト部および階調電圧発生部を詳細に示す回路図である。
【図６】図５の階調電圧発生部から出力される階調電圧の一例を示す波形図である。
【図７】（Ａ）、（Ｂ）はそれぞれ白および黒表示時任意のあるセルに印加される電圧を示す波形図である。
【図８】一般の液晶パネルの一部を示す等価回路図である。
【図９】（Ａ）、（Ｂ）は図８の回路に適用される共通電極印加電圧および歪曲された電圧を示す波形図である。
【図１０】（Ａ）、（Ｂ）は図８の回路に適用されるものであって、白表示時および黒表示時の任意のあるセルに印加される電圧を示す波形図である。
【符号の説明】
１  液晶パネル
２  ソース駆動部
３  ゲート駆動部
４  タイミング回路
５  歪曲信号感知部
６  レベルシフト部
７  階調電圧発生部
１１  上部基板
１２  ブラックマトリックス
１３  上部透明基板
１４  銀導電膜
１５  シール材
１６  下部基板
１７  導電ライン
８３  タップ
８４、８５  ダミー端子
【図１】
0004060903.tif 000002
【図２】
0004060903.tif 000003
【図３】
0004060903.tif 000004
【図４】
0004060903.tif 000005
【図５】
0004060903.tif 000006
【図６】
0004060903.tif 000007
【図７】
0004060903.tif 000008
【図８】
0004060903.tif 000009
【図９】
0004060903.tif 000010
【図１０】
0004060903.tif 000011